(57)【要約】【課題】建設時における工期短縮を図ることができる廃棄物処分施設を提供する。【解決手段】廃棄物処分施設１は、遮水層２で周囲の地盤５０から仕切られたすり鉢状の貯留空間３ａに廃棄物を貯留する貯留槽３と、貯留空間３ａ内の浸出水を集める集水管６と、集水管６で集められた浸出水を貯留する水溜部２３と、水溜部２３の浸出水Ｗを貯留槽３の外部に排出する浸出水排出パイプ２９と、を有する集水ピット５と、を備え、集水ピット５は、遮水層２よりも貯留空間３ａ側の領域内に位置するように設けられている。【選択図】図２
2013126639.tif 000002
【特許請求の範囲】
【請求項１】
廃棄物を埋立て処分する廃棄物処分施設であって、
遮水層で周囲の地盤から仕切られたすり鉢状の貯留空間に前記廃棄物を貯留する貯留槽と、
前記貯留空間内の浸出水を集める集水管と、
前記集水管で集められた前記浸出水を貯留する水溜部と、前記水溜部の前記浸出水を前記貯留槽の外部に排出する浸出水排出路と、を有する集水ピットと、
を備え、
前記集水ピットは、前記遮水層よりも前記貯留空間側の領域内に位置するように設けられていることを特徴とする廃棄物処分施設。
【請求項２】
前記集水ピットは、前記貯留空間の法面に沿って設けられていることを特徴とする請求項１に記載の廃棄物処分施設。
【請求項３】
前記集水ピットは、
前記貯留空間の底部に位置する前記水溜部から前記貯留空間の上端の位置まで斜めに延在する監査廊を有することを特徴とする請求項２に記載の廃棄物処分施設。
【請求項４】
前記水溜部は、
前記集水管からの前記浸出水を導入する浸出水導入口よりも低い位置に前記浸出水を貯留し、
貯留する前記浸出水によって前記浸出水導入口側の空間を前記浸出水排出路側の空間から水封するＵ字管構造をなすことを特徴とする請求項１〜３の何れか１項に記載の廃棄物処分施設。
【請求項５】
前記集水ピットは、
前記浸出水導入口側の空間に空気を送り込む送気部を更に有することを特徴とする請求項４に記載の廃棄物処分施設。
【請求項６】
前記送気部は、
前記浸出水導入口側の空間に送り込む空気を、前記水溜部に貯留された前記浸出水の液面下に排出することを特徴とする請求項５に記載の廃棄物処分施設。
【請求項７】
前記集水ピットは、
前記水溜部に貯留される前記浸出水の液面の上方において、
前記浸出水導入口側の空間と前記浸出水排出路側の空間とを連通する開閉可能な連通部を更に有することを特徴とする請求項４〜６の何れか１項に記載の廃棄物処分施設。
【発明の詳細な説明】
【技術分野】
【０００１】
本発明は、廃棄物を埋立て処分する廃棄物処分施設に関するものである。
【背景技術】
【０００２】
従来、この分野の技術として、下記特許文献１に記載の埋立処分場が知られている。この廃棄物処分場では、遮水工が設けられた埋立領域に廃棄物が貯留される。また、この埋立領域に隣接する立坑型の集水ピットが設けられている。集水ピットの底部には、埋立領域で発生した浸出水が集水管を通じて集められる。
【先行技術文献】
【特許文献】
【０００３】
【特許文献１】特開２００４−３５１２４０号公報
【発明の概要】
【発明が解決しようとする課題】
【０００４】
上記特許文献１の埋立処分場のように、廃棄物の埋立領域と立坑型の集水ピットとが隣接して設けられる構造を考えると、埋立領域の底部から集水ピットの底部までを集水管で繋ぐ必要がある。この場合、集水管は、埋立領域を仕切る遮水工を貫通して地中を延在することになる。よって、集水管が遮水工を貫通する貫通箇所では、遮水性を確保するための遮水構造が複雑化する場合もある。また、地中を延在する集水管自体についても、例えば、劣化や地震などにより集水管が損傷し浸出水が地中に漏れ出すといったことを防止する必要があるので、二重管を採用するなどの特殊な構造が必要になる。このような構造の複雑化は、施設の建設時における工期短縮及びコスト削減の妨げになる。また、集水管は地盤中に推進工法で設けられるものであり、集水管設置のための工期も長くなる。特に、埋立領域がすり鉢状をなす場合には、埋立領域の底部と集水ピットの底部との距離が長くなり、長い集水管が必要になるので、上記の問題が顕著になる。
【０００５】
以上のような問題に鑑み、本発明は、建設時における工期短縮及びコスト削減を図ることができる廃棄物処分施設を提供することを目的とする。
【課題を解決するための手段】
【０００６】
本発明の廃棄物処分施設は、廃棄物を埋立て処分する廃棄物処分施設であって、遮水層で周囲の地盤から仕切られたすり鉢状の貯留空間に廃棄物を貯留する貯留槽と、貯留空間内の浸出水を集める集水管と、集水管で集められた浸出水を貯留する水溜部と、水溜部の浸出水を貯留槽の外部に排出する浸出水排出路と、を有する集水ピットと、を備え、集水ピットは、前記遮水層よりも前記貯留空間側の領域内に位置するように設けられていることを特徴とする。
【０００７】
この廃棄物処分施設によれば、貯留空間内の浸出水は、集水管を通じて集水ピットの水溜部に集められ、集水ピットの浸出水排出路を通じて貯留槽の外部に排出される。ここで、集水ピットが貯留空間側の領域内に位置しているので、貯留空間から集水管を通じて集水ピットに移動する浸出水は、貯留空間を仕切る遮水層を貫通して移動する必要がない。よって、遮水層には浸出水を通過させるための貫通箇所を設ける必要がなく、遮水層の構造をシンプルにすることができる。また、浸出水を通過させる集水管を地盤中に設ける必要もない。以上の結果、建設時における工期短縮及びコスト削減を図ることができる。
【０００８】
また、集水ピットは、前記貯留空間の法面に沿って設けられていることとしてもよい。また、集水ピットは、貯留空間の底部に位置する水溜部から貯留空間の上端の位置まで斜めに延在する監査廊を有することとしてもよい。この構成によれば、水溜部の点検やメンテナンスの際に、作業者が監査廊を通行して安全に容易に水溜部まで移動することができる。
【０００９】
また、水溜部は、集水管からの浸出水を導入する浸出水導入口よりも低い位置に浸出水を貯留し、貯留する浸出水によって浸出水導入口側の空間を浸出水排出路側の空間から水封するＵ字管構造をなすこととしてもよい。
【００１０】
水溜部では、浸出水導入口側の空間が浸出水によって水封されているので、浸出水導入口側の空間に空気を送り込むことにより、集水管に空気を逆流させて、貯留空間内に貯留された廃棄物に空気を供給することができる。廃棄物に供給された空気によって、廃棄物中の好気性菌による好気性反応が促進され、廃棄物の安定化が促進される。
【００１１】
このため、集水ピットは、浸出水導入口側の空間に空気を送り込む送気部を更に有することとしてもよい。
【００１２】
またこの場合、送気部は、浸出水導入口側の空間に送り込む空気を、水溜部に貯留された浸出水の液面下に排出することとしてもよい。この構成によれば、液面下に排出された空気は、気泡として浸出水内を上昇し浸出水導入口側の空間に送り込まれる。このとき、水溜部に貯留された浸出水が曝気されることで、当該浸出水中の溶存酸素が多くなり、浸出水中での好気反応が進行して、当該浸出水の浄化が進行する。
【００１３】
また、集水ピットは、水溜部に貯留される浸出水の液面の上方において、浸出水導入口側の空間と浸出水排出路側の空間とを連通する開閉可能な連通部を更に有することとしてもよい。貯留槽内の廃棄物と、貯留槽外部との温度差が大きい場合には、当該温度差に起因する対流により、集水ピットから浸出水導入口を通じて集水管を逆流する空気の流れが自然に発生する。よってこの場合には、連通部を開放することにより、上記の対流を利用して、集水ピット側から廃棄物に対する空気の供給を行うことができる。その一方、貯留槽内の廃棄物と、貯留槽外部との温度差が小さい場合には、上記の対流が発生し難いので、連通部を閉鎖し浸出水導入口側の空間に空気を送り込むことにより、集水管に空気を逆流させて、貯留空間内に貯留された廃棄物に空気を供給することができる。
【発明の効果】
【００１４】
本発明の廃棄物処分施設によれば、建設時における工期短縮及びコスト削減を図ることができる。
【図面の簡単な説明】
【００１５】
【図１】本発明の廃棄物処分施設の第１実施形態を示す断面図である。
【図２】図１の廃棄物処分施設の集水ピット近傍を拡大して示す断面図である。
【図３】図２の集水ピット及び集水管を示すIII-III断面図である。
【図４】本発明の廃棄物処分施設の第２実施形態を示す断面図である。
【発明を実施するための形態】
【００１６】
以下、図面を参照しつつ本発明に係る廃棄物処分施設の実施形態について詳細に説明する。
【００１７】
（第１実施形態）
図１に示す廃棄物処分施設１は、廃棄物を埋立て処分する管理型の処分施設であり、廃棄物処分施設１では、有機物、無機物（塩類、重金属）を含む種々の廃棄物が投棄され埋立て処分される。廃棄物としては、例えば、ごみ焼却施設で発生する焼却灰や飛灰固化物、有機汚泥、無機汚泥、木くず、鉱さい等がある。なお、埋め立てられる廃棄物に対しては、事前に廃棄物から有価物を取り出したり、廃棄物を混合したりといった操作が行われる。廃棄物処分施設１は、貯留槽３の上方に屋根４を備えた「閉鎖型の廃棄物処分場」と呼ばれるタイプの廃棄物処分施設である。閉鎖型の管理型処分施設では、廃棄物を安定化させるために散水が行われるため浸出水が発生する。その浸出水は貯留槽底部の集水管から集水ピットに集められ、集水ピットから浸出水処理施設に送られて浄化処理される。廃棄物処分施設１は、埋立ての終了後、廃棄物が安定化した後廃止される。なお、屋根４は省略してもよい。
【００１８】
廃棄物処分施設１は、廃棄物を貯留するための貯留槽３を有している。貯留槽３は、すり鉢状をなし、地表から貯留槽３の底部に向けて傾斜して延びる法面３ｂを有する。貯留槽３は、例えば、地盤５０が地表から下方に掘削されて形成されたすり鉢状の凹部と、当該凹部の内側の面全体に施工された遮水層２とで形成されている。そして、遮水層２の内側の凹状の空間が、廃棄物が貯留される貯留空間３ａとなる。遮水層２は水を遮断する層であり、遮水層２は、例えば、遮水シートを敷設して形成してもよく、ベントナイト層であってもよく、ベントナイト層の上に遮水シートを積層した層であってもよく、或いは水を遮断する層であれば他の構造であってもよい。貯留空間３ａには、廃棄物からなる廃棄物層Ｓが形成されている。なお、貯留空間３ａ内には、廃棄物が層状に積み重ねられて埋立て処分されるので、廃棄物層Ｓは複数層で構成されている。遮水層２によって貯留空間３ａが地盤５０から仕切られているので、廃棄物から発生する浸出水は、遮水層２の遮水性によって貯留空間３ａ内に閉じ込められ、地盤５０には漏出しないようになっている。
【００１９】
貯留槽３内には、所定の間隔をおいて竪管Ｔが複数設けられている。竪管Ｔは、廃棄物層Ｓに埋め込まれ鉛直方向に延びている。各竪管Ｔの上端は廃棄物層Ｓから上方に露出している。各竪管Ｔの下流端は集水管６に接続されている。集水管６は、貯留空間３ａ内に設けられており、貯留空間３ａの底面に沿って遮水層２よりも上方に設置されている。集水管６は、集水ピット５に向かって下るように僅かに傾斜している。集水管６の下流端は、集水ピット５の下部に接続されている。廃棄物層Ｓ内の浸出水は、竪管Ｔに流入し竪管Ｔを通じて集水管６に流れ、集水管６に導かれて集水ピット５に集められる。また、廃棄物層Ｓ内の一部の浸出水は、直接集水管６に直接流入して集水ピット５に流入する。なお、竪管Ｔは、鉛直方向に延びる構造に限られず、廃棄物層Ｓ内で枝分かれして縦横に延びる構造であってもよい。
【００２０】
例えば、竪管Ｔは、多数の孔を有する高密度ポリエチレン管と、高密度ポリエチレン管の周りに砂利（例えば割栗石）が充填されてなる砂利層と、砂利層と廃棄物層Ｓとを仕切るコルゲート管と、で構成されている。例えば、集水管６は、多数の孔を有する高密度ポリエチレン管と、高密度ポリエチレン管の周りに形成された単粒度砕石層と、単粒度砕石層の周りに砂利（例えば割栗石）が充填されてなる砂利層と、砂利層を囲むポリエチレン製ネットと、で構成されている。
【００２１】
続いて、集水ピット５について、図２及び図３を参照しながら更に詳細に説明する。
【００２２】
集水ピット５は、貯留空間３ａの法面３ｂに施された遮水層２の上に構築され、法面３ｂに沿って斜めに延在している。集水ピット５は、遮水層２よりも貯留空間３ａ側の領域内に位置している。前述のとおり、「貯留空間３ａ」とは、周囲の地盤５０から遮水層２によって仕切られた空間、すなわち、遮水層２よりも上側の空間を指す。なお、集水ピット５は、遮水層２で画成される凹状領域の内側に位置するので、集水ピット５は貯留空間３ａ内に設けられているとも言える。集水ピット５は、貯留空間３ａの上端（地表）から貯留空間３ａの底部まで、法面３ｂの全長に亘って斜めに延在している。貯留空間３ａに廃棄物が蓄積されるに従って、集水ピット５は、廃棄物層Ｓの下に徐々に埋もれていく。なお、集水ピット５の下端部は、水溜部２３（後述する）として、すり鉢形状の底面から更に低い位置に突出している。この突出部分においても、遮水層２は、集水ピット５の突出形状に追従して集水ピット５の下に設けられている。
【００２３】
集水ピット５は、断面矩形の筒状の躯体２１を有している。躯体２１内側の中空部分は、人が通行可能な程度の広さがあり、監査廊２２として使用される。躯体２１は、例えば、コンクリート製であり、現場打ち工法で構築されてもよく、プレキャストコンクリート工法で構築されてもよい。
【００２４】
貯留空間３ａの底部において、躯体２１の最も低い位置には、浸出水Ｗを貯留する水溜部２３が形成されている。水溜部２３に貯留される浸出水Ｗの上方の位置において、集水管６の下流端部が躯体２１の内側に挿入されている。躯体２１の内側に露出した集水管６の下流端は、水溜部２３に浸出水Ｗを導入する浸出水導入口２４である。
【００２５】
監査廊２２は、水溜部２３から貯留空間３ａの上端（地表）まで、法面３ｂの全長に亘って斜めに延在している。この構造により、作業者は、貯留槽３の上端（地表）から集水ピット５内に入ることができる。そして作業者は、監査廊２２を通行して水溜部２３の近傍まで安全に容易に移動することができ、水溜部２３の点検やメンテナンス作業を行うことができる。なお、躯体２１の上端部には、作業者が出入りするためのドア２６が設けられる。また、監査廊２２には、作業者の通行を安全かつ容易にするための階段や踊場が形成されている。更に、監査廊２２内には照明が設置されており、監査廊２２内は換気されている。
【００２６】
集水ピット５は、水溜部２３の浸出水Ｗを排出するために、ポンプ２８と、ポンプ２８に接続された浸出水排水パイプ（浸出水排出路）２９と、を有している。ポンプ２８は、浸出水Ｗに浸漬され、水溜部２３の底部から浸出水Ｗを汲み上げる。浸出水排水パイプ２９は、ポンプ２８で汲み上げられた浸出水Ｗを貯留槽３の外部に向けて搬送する。浸出水は、浸出水排水パイプ２９によって貯留槽３の外部に送られ、所定の水処理を行う水処理部（図示せず）に送られる。なお、浸出水Ｗの液面上方には、グレーチング等の着脱可能な蓋３０が設置されている。また、水溜部２３には、ポンプ２８のメンテナンス及び故障時の代替用として予備のポンプ（図示せず）も設置されている。
【００２７】
水溜部２３では、浸出水Ｗの液面の位置は、所定の液面予定位置に維持される。液面予定位置には、上下幅をもつように上限位置及び下限位置が設定されている。具体的には、浸出水Ｗの水位が上限位置に達すると自動的にポンプ２８が始動し、浸出水Ｗの水位が下限位置に達すると自動的にポンプ２８が停止するように制御される。これにより、浸出水Ｗの液面の位置が液面予定位置の範囲内に維持される。或いは、ポンプ２８及び浸出水排水パイプ２９による排水速度が適宜調整されることで、浸出水Ｗの液面の位置を維持してもよい。なお、浸出水排水パイプ２９は、監査廊２２内を通過するように設置してもよく、監査廊２２の外側を通過させてもよい。何れの場合も、浸出水排水パイプ２９は、遮水層２を横切ることなく、遮水層２の上端（地表の位置）を越えて貯留槽３の外部まで延在する。
【００２８】
水溜部２３は、断面Ｌ字をなす仕切り壁３１を有している。仕切り壁３１は、水平方向（図２の紙面に直交する方向）において、水溜部２３の全幅に亘って延在している。仕切り壁３１は、監査廊２２側から見て浸出水導入口２４を覆い隠すように設けられている。仕切り壁３１の下部は浸出水Ｗの液面下に没しており、仕切り壁３１の下端は、水溜部２３の底面近傍に位置する。このような仕切り壁３１の存在により、水溜部２３は、全体としてＵ字形の水路（Ｕ字管構造）をなし、いわゆる水封トラップの構造をなしている。水溜部２３は、浸出水Ｗによって、浸出水導入口２４側の空間Ａを、浸出水排水パイプ２９が存在する側の空間Ｂから水封する。
【００２９】
更に、集水ピット５は、上記空間Ａに空気を送り込むエア供給部（送気部）３３を備えている。エア供給部３３は、例えばコンプレッサである。エア供給部３３の供給管３３ａの先端は、空間Ａの下方（浸出水導入口２４の下方）において浸出水Ｗの液面下に挿入されている。エア供給部３３は、供給管３３ａの先端から空気を排出する。供給管３３ａから浸出水Ｗ中に排出された空気は、気泡として浸出水Ｗ内を上昇し空間Ａに送り込まれる。
【００３０】
仕切り壁３１には、浸出水Ｗの液面よりも上の位置に、開閉可能な扉（連通部）３４が設けられている。扉３４を閉じることにより、前述したように空間Ａが空間Ｂから水封された状態となり、扉３４を開けることにより、空間Ａと空間Ｂとが浸出水Ｗの液面の上方で連通する。
【００３１】
続いて、以上説明した廃棄物処分施設１による作用効果について説明する。
【００３２】
廃棄物処分施設１においては、集水ピット５は、遮水層２よりも貯留空間３ａ側の領域内（貯留空間３ａ内）に位置し、貯留空間３ａの法面３ｂに沿って設けられている。この構成によれば、貯留空間３ａから集水ピット５へ移動する浸出水や、集水ピット５から貯留槽３の外部へ移動する浸出水は、貯留空間３ａを仕切る遮水層２を貫通して移動する必要がない。よって、遮水層２には浸出水を通過させるための貫通箇所を設ける必要がない。このため、遮水層２の貫通箇所で複雑な遮水構造が必要になる等の事情もなく、遮水層２の構造をシンプルにすることができる。また、従来のような集水ピットのための立坑を設ける必要もない。また、浸出水を通過させる集水管６を地盤５０中に設ける必要もないので、推進工法による管の設置も不要である。以上の結果、建設時における工期短縮及びコスト削減を図ることができる。
【００３３】
廃棄物処分施設１の貯留槽３はすり鉢状をなすので、貯留槽３に隣接させて立坑型の集水ピットを設ける場合、貯留槽３の底部と集水ピットの底部との距離が大きくなる傾向にある。従って、貯留槽３の底部と集水ピットの底部とを、長い集水管で繋ぐ必要があり、推進工法による集水管の設置の作業量が特に大きくなる傾向にある。従って、すり鉢状の貯留槽を有するタイプの廃棄物処分施設に対して、集水ピット５を貯留空間３ａ内に設置する構成を適用した場合には、上記のような長い集水管が不要になるので、特に工期短縮の効果が高い。
【００３４】
また、集水ピット５が法面３ｂに沿って延び、監査廊２２が、水溜部２３から貯留空間３ａの上端（地表）まで延びている構造であるので、作業者は地表から水溜部２３まで、監査廊２２を通行して安全に容易に移動することができる。よって、水溜部２３のメンテナンス作業を容易にすることができる。
【００３５】
また、水溜部２３がＵ字管構造をなし、浸出水導入口２４側の空間Ａが浸出水Ｗによって水封されているので、エア供給部３３によって空間Ａに空気を送り込むことにより、効率良く集水管６に空気を逆流させることができる。集水管６に空気を送り込むことにより、竪管Ｔ等を経由して、貯留空間３ａ内の廃棄物層Ｓに空気を供給することができる。そして、廃棄物に供給された空気によって、廃棄物中の好気性菌による好気性反応が促進され、廃棄物の安定化が促進される。
【００３６】
また、エア供給部３３は、空間Ａに送り込むべき空気を、浸出水Ｗの液面下に排出している。この構成によれば、浸出水Ｗが曝気されることで、当該浸出水Ｗ中の溶存酸素が多くなり、浸出水Ｗ中での好気反応が進行して、浸出水Ｗの浄化が進行する。その結果、後段の水処理部による浸出水Ｗの処理負荷が軽減される。
【００３７】
また、仕切り壁３１には、開閉可能な扉３４が設けられているので、以下のような運用が可能である。貯留槽３内の廃棄物と、貯留槽３外部との温度差が大きい場合（例えば冬季）には、当該温度差に起因する対流により、集水ピット５のドア２６等から流入する空気が、監査廊２２、扉３４及び浸出水導入口２４を通過し、集水管６を逆流するといった空気の流れが自然に発生する。よってこの場合には、扉３４を開放することにより、上記の対流を利用して、集水ピット５側から廃棄物に対する空気の供給を行うことができる。この場合、エア供給部３３を駆動する必要がない。
【００３８】
その一方、貯留槽３内の廃棄物と、貯留槽３外部との温度差が小さい場合（例えば夏季）には、上記の対流が発生し難いので、扉３４を閉鎖してエア供給部３３を駆動することにより、集水管に空気を逆流させて、貯留空間内に貯留された廃棄物に空気を供給することができる。
【００３９】
なお、浸出水排水パイプ２９で貯留槽３外に排出される浸出水（以下「排出浸出水」）は、水処理部で所定の処理を施した後、再び廃棄物層Ｓに撒水してもよい。この場合、排出浸出水を昇温して撒水することが好ましい。
【００４０】
すなわち、排出浸出水を所定の加熱手段で加熱し、廃棄物層Ｓの上から散布してもよい。また、排出浸出水をＲＯ浄水装置等の浄水手段で浄化した後加熱し、廃棄物層Ｓの上から散布してもよい。これによれば、加熱された排出浸出水が廃棄物層Ｓに供給されるので、廃棄物層Ｓの温度が上がり、廃棄物層Ｓ内の好気性菌が温度上昇に起因して活性化され、廃棄物層Ｓの安定化が促進される。また、同様の効果を得るために、廃棄物処分施設１の外部の水を導入し、所定の加熱手段で加熱して、廃棄物層Ｓの上から散布してもよい。外部の水としては、例えば、水道水、地下水、雨水等が利用される。
【００４１】
また、排出浸出水を所定の加熱手段で加熱し、竪管Ｔの砂利層の上端部に注入してもよい。これにより、浸出水は、竪管Ｔの砂利層を繰り返し通過することになる。したがってこの場合、浸出水に含まれる有機物が、砂利層を通過する際に、砂利層内の好気性菌により分解されるので、浸出水は砂利層を繰り返し通過する間に浄化される。よって、浸出水の浄化を行うことができる。
【００４２】
また、廃棄物処分施設１では、貯留槽３の廃棄物の安定化度を管理すべく、浸出水の水質がモニタリングされる。この場合、廃棄物層Ｓを平面視で小エリアに分割し、小エリアごとに浸出水のモニタリングを行うことが好ましい。この場合、上記小エリアごとに廃棄物層Ｓへの撒水を行い、竪管Ｔ又は集水ピット５に集まる浸出水を回収し水質測定を行うことで、撒水を行った小エリアの廃棄物の安定化度を個別に知ることができる。これによれば、小エリア毎のそれぞれの安定化度に応じた措置を取ることが可能になり、全体として廃棄物の早期安定化を図ることができる。
【００４３】
（第２実施形態）
続いて、図４を参照し、本発明の第２実施形態としての廃棄物処分施設２０１について説明する。廃棄物処分施設２０１において、前述の廃棄物処分施設１と同一又は同等の構成要素には図面に同一の符号を付して、重複する説明を省略する。
【００４４】
廃棄物処分施設２０１は、前述の集水ピット５に代えて、水溜部２３から鉛直上方に延びる立孔型の集水ピット２０５を備えている。集水ピット２０５の上端は、廃棄物層Ｓの上面に露出しており、集水ピット２０５の上端には作業者の出入口（図示せず）が設けられる。なお、貯留空間３ａ内の廃棄物の蓄積に追従して適宜集水ピット２０５を上方に延長し、常に、集水ピット２０５の上端が廃棄物層Ｓの上面に露出するようにしてもよい。集水ピット２０５は、遮水層２よりも貯留空間３ａ側の領域内に位置しているので、廃棄物処分施設２０１によっても、前述したような廃棄物処分施設１と同様の作用効果が奏される。
【００４５】
以上、本発明の実施形態について説明したが、本発明は、上記実施形態に限られるものではなく、各請求項に記載した要旨を変更しない範囲で変形したものであってもよい。例えば、実施形態では、集水ピット５，２０５の水溜部２３が、仕切り壁３１によってＵ字管構造とされているが、水溜部２３をＵ字管構造とすることは必須ではなく、仕切り壁３１を省略してもよい。
【符号の説明】
【００４６】
１…廃棄物処分施設、２…遮水層、３…貯留槽、３ａ…貯留空間、３ｂ…法面、５，２０５…集水ピット、６…集水管、２３…水溜部、２４…浸出水導入口、２９…浸出水排出路、３３…エア供給部（送気部）、３４…扉（連通部）、Ａ…浸出水導入口側の空間、Ｂ…浸出水排出路側の空間、Ｓ…廃棄物層、Ｗ…浸出水。
【図１】
2013126639.tif 000003
【図２】
2013126639.tif 000004
【図３】
2013126639.tif 000005
【図４】
2013126639.tif 000006